【手続補正書】
【提出日】平成17年6月6日(2005.6.6)
【手続補正１】
【補正対象書類名】明細書
【補正対象項目名】全文
【補正方法】変更
【補正の内容】
【書類名】        明細書
【発明の名称】    パック化粧料
【特許請求の範囲】
【請求項１】  使用時に生成する水不溶性及び／又は水難溶性アルギン酸塩を被膜形成剤とするパック化粧料に於いて、蔗糖、トレハロース、デキストリン、シクロデキストリン、デンプン、マルチトール、ソルビトール、キシリトール、乳糖、ブドウ糖及び果糖から選ばれる１種乃至は２種以上の、２０℃、１気圧で固体の糖類を含有することを特徴とする、パック化粧料。
【請求項２】  糖類の含有量が、使用時の水以外の化粧料の構成成分の全量に対して、２０〜８０重量％であることを特徴とする、請求項１に記載のパック化粧料。
【請求項３】  更に、無水珪酸を含有することを特徴とする、請求項１又は２に記載のパック化粧料。
【請求項４】  無水珪酸の含有量が、使用時の水以外の化粧料の構成成分の全量に対して、５〜２０重量％であることを特徴とする、請求項１〜３何れか１項に記載のパック化粧料。
【発明の詳細な説明】
【０００１】
【発明の属する技術分野】
本発明は、パック化粧料に関する。
【０００２】
【従来の技術】
パック化粧料は、皮膚上に有効成分を含有する化粧料組成物を被膜などで閉塞し、有効成分の吸収を高める化粧料の形態であり、閉塞する手段として、高分子被膜形成剤を利用したもの、高分子を含有する泡を利用したもの或いはアルギン酸の水不溶性及び／又は難溶性塩の被膜を利用したものなどが、その製剤として例示できる。
【０００３】
これらの製剤の内、特に注目されているものは、アルギン酸塩を被膜剤として利用したもの、いわゆるアルゲパックで、これは形成した被膜を容易にピールオフすることが出来ること、フッ素化炭化水素ガスや天然ガスなどのその使用が環境を考える上ではばかれるガスを使用しなくて済むこと、それに加えて充分な閉塞性を有することなどメリットが多いためである。
【０００４】
しかしながら、アルゲパックに於いてはその被膜強度等の被膜の物理特性のコントロールと、被膜用の組成物を形成したときのダマの発生を如何に抑制するかが大きな課題であった。従来の技術に於いては、この様な被膜強度のコントロールとダマの発生に対しては、カオリンを添加し、ゲル構造の出来方を調整する方法が採られていたが、十分にこの課題が解決されているとはいいがたかった。
【０００５】
一方、アルゲパックにデキストリン等の糖類を含有させることは全く知られていなかった。
【０００６】
【発明が解決しようとする課題】
本発明は、この様な状況下為されたものであり、使用時にダマの発生が抑制された、被膜強度もコントロールされている、アルゲパックのパック化粧料を提供することを課題とする。
【０００７】
【課題を解決するための手段】
本発明者らは、この様な実状に鑑みて、使用時にダマの発生が抑制された、被膜強度もコントロールされている、アルゲパックのパック化粧料を求めて、鋭意研究努力を重ねた結果、糖類を含有するアルゲパックがその様な特質を備えていることを見出し、発明を完成させるに至った。即ち、本発明は以下に示す技術に関するものである。
【０００８】
（１）使用時に生成する水不溶性及び／又は水難溶性アルギン酸塩を被膜形成剤とするパック化粧料に於いて、蔗糖、トレハロース、デキストリン、シクロデキストリン、デンプン、マルチトール、ソルビトール、キシリトール、乳糖、ブドウ糖及び果糖から選ばれる１種乃至は２種以上の、２０℃、１気圧で固体の糖類を含有することを特徴とする、パック化粧料。
（２）糖類の含有量が、使用時の水以外の化粧料の構成成分の全量に対して、２０〜８０重量％であることを特徴とする、（１）に記載のパック化粧料。
（３）更に、無水珪酸を含有することを特徴とする、（１）又は（２）に記載のパック化粧料。
（４）無水珪酸の含有量が、使用時の水以外の化粧料の構成成分の全量に対して、５〜２０重量％であることを特徴とする、（１）〜（３）何れか１つに記載のパック化粧料。
以下、本発明について、実施の形態を中心に更に詳細に説明を加える。
【０００９】
【発明の実施の形態】
（１）本発明のパック化粧料の必須成分である糖類
本発明のパック化粧料は、２０℃、１気圧の条件において固体の糖類を含有することを特徴とする。本発明のパック化粧料において、糖類はアルギン酸塩の構造が出来る速度を調整すると同時に、アルギン酸塩の構造中に可塑性を持たせる作用を有する。
【００１０】
本発明のパック化粧料で使用可能な糖類としては、蔗糖、トレハロース、デキストリン、シクロデキストリン、デンプン、マルチトール、ソルビトール、キシリトール、乳糖、ブドウ糖及び果糖から選ばれる１種乃至は２種以上が挙げられる。これらの中で特に好適なものとしては、デキストリンが例示できる。これら糖類は唯１種を含有することも出来るし、２種以上を組み合わせて含有することも出来るが、デキストリンのみを用いることが特に好ましい。
【００１１】
これら糖類の好ましい含有量は、使用時の水以外の化粧料の構成成分の全量に対して総量で、２０〜８０重量％、更に好ましくは３０〜５０重量％である。これは多すぎるとパック料としての処方の自由度を損なう場合があり、少なすぎるとダマ生成抑制作用や可塑性付加作用を発揮できない場合があるからである。
【００１２】
（２）本発明の好ましい成分である無水珪酸
本発明のパック化粧料は、無水珪酸を好ましい成分として含有する。本発明のパック化粧料に於ける、無水珪酸の好ましい含有量は、使用時の水以外の化粧料の構成成分の全量に対して、５〜２０重量％、更に好ましくは７〜１５重量％である。これは、本発明のパック化粧料に於いて、無水珪酸は、粉の感じを出さずに、上記糖類の役割を補佐するとともに糖類の持っているベタツキ感を緩和させる作用を有する。無水珪酸が少なすぎる場合には、その効果が発揮できない場合があり、多すぎると閉塞性などが阻害される場合があるからである。
【００１３】
本発明のパック化粧料に於いて、これら無水珪酸はそのまま含有することもできるし、通常化粧料で行われている処理をされることも出来、例えば、ハイドロジェンメチルポリシロキサン焼き付け処理、ジメチルポリシロキサン焼き付け処理、シリルカップリング剤処理、パーフルオロアルキルジエタノールアミン燐酸塩処理、ステアリン酸亜鉛等の金属石鹸処理、アシル化グルタミン酸塩などのアミノ酸誘導体処理、ポリ燐酸ナトリウムのような燐酸塩処理等が好ましく例示できる。これらの内、特に好ましいものは無処理の無水珪酸を使用することである。勿論、表面処理を行った無水珪酸と行わない無水珪酸とを共に含有させることも可能である。
【００１４】
（３）本発明のパック化粧料
本発明のパック化粧料は、上記必須成分を含有し、好ましい任意成分を好ましく含有する。本発明のパック化粧料の特徴となるアルギン酸塩は、アルギン酸をフリーの形で１０〜２０重量％、更に好ましくは１２〜１８重量％含有し、これを５〜３０重量％、更に好ましくは７〜２８重量％の金属塩と使用直前に反応させ、アルギン酸塩と為しゲル化させて使用するものである。
【００１５】
金属塩としては、カルシウム塩やマグネシウム塩などのアルギン酸と水不溶性塩或いは難溶性塩を形成するアルカリ土類金属の金属根が好ましく例示できる。この様な金属塩の対イオンとしては、硫酸根、塩酸根、硝酸根などの鉱酸根が好ましく例示できる。特に好ましい金属塩としては硫酸カルシウムが例示できる。
【００１６】
本発明のパック化粧料においては、これらの成分以外に、通常化粧料で含有される任意成分を、本発明の効果を損ねない範囲において含有することができる。かかる任意成分としては、例えば、スクワラン、ワセリン、マイクロクリスタリンワックス等の炭化水素類、ホホバ油、カルナウバワックス，オレイン酸オクチルドデシル等のエステル類、オリーブ油、牛脂、椰子油等のトリグリセライド類、ステアリン酸、オレイン酸、リチノレイン酸等の脂肪酸、オレイルアルコール、ステアリルアルコール、オクチルドデカノール等の高級アルコール、スルホコハク酸エステルやポリオキシエチレンアルキル硫酸ナトリウム等のアニオン界面活性剤類、アルキルベタイン塩等の両性界面活性剤類、ジアルキルアンモニウム塩等のカチオン界面活性剤類、ソルビタン脂肪酸エステル、脂肪酸モノグリセライド、これらのポリオキシエチレン付加物、ポリオキシエチレンアルキルエーテル、ポリオキシエチレン脂肪酸エステル等の非イオン界面活性剤類、ポリエチレングリコール、グリセリン、１，３−ブタンジオール等の多価アルコール類、増粘・ゲル化剤、酸化防止剤、紫外線吸収剤、色剤、防腐剤、粉体等を含有することができる。
【００１７】
これらの内、特に好ましいものは、多価アルコール類である。これは、有効成分などをアルギン酸塩のゲル中に均一に分散させることができるからである。これら多価アルコールの好ましい含有量は、最終の投与用のゲルにおいて、水分以外の成分の全量に対して、２〜１０重量％であり、更に好ましくは３〜５重量％である。尚、これらの含有量は何れも水以外の化粧料の成分の全量に対する重量百分率である。これらの成分を通常の如くに処理することにより、本発明のパック化粧料は得ることができる。
【００１８】
本発明のパック化粧料は、水とアルギン酸の水可溶性塩とアルギン酸をゲル化させるカルシウムなどの水溶性塩の３者が同時に存在することによりゲル化するので、この３者の内の少なくとも１者が他の２者とは独立して存在する、２剤以上の系で構成されることが必要である。この内訳は，前記の条件を満たしていれば、特段の限定を受けない。
【００１９】
もっとも好ましい形態は、水以外の成分を調整しておき、使用時に水を加えて使用する形態である。これは、水はどこでも入手が可能であり、水が存在しないことにより、微生物汚染の可能性が低くなり、防腐剤などの成分を含まなくても済むからである。アルゲパックのゲル化に用いる水の量は、これ以外のパック化粧料の成分の全量に対して、１〜４倍量が好ましく、更に好ましくは２〜３倍量である。
【００２０】
【実施例】
以下に、実施例をあげて本発明について更に詳細に説明を加えるが、本発明がこれら実施例にのみ限定を受けないことは言うまでもない。
【００２１】
＜実施例１＞
下記に示す処方に従って本発明のパック化粧料を作成した。即ち、処方成分をヘンシェルミキサーで混合し、０．１ミリ丸穴スクリーンを装着したパルベライザーで粉砕し、パック化粧料を得た。
【００２２】
アルギン酸ナトリウム          １４    重量部
無水珪酸                      １１．７重量部
硫酸カルシウム                １５．６重量部
デキストリン                  ４８．８重量部
ポリ燐酸ナトリウム              ０．１重量部
炭酸ナトリウム                  ０．１重量部
１，３−ブタンジオール          ４    重量部
ホホバ油                        １．７重量部
【００２３】
＜実施例２＞
実施例１のパック化粧料を、専門パネラーにより評価した。評価項目は、パック化粧料の皮膜の適切さ（強さとしなやかさ）、パック化粧料のダマの少なさであった。評価基準は、＋＋：非常によい、＋：よい、±：許容できるが良くはない、−：許容できないであった。比較例１としてデキストリンをカオリンに置換したものを用いた。対照例１としては、デキストリンを全て除いたものを用いた。ゲル化は２５０重量部の水を加えることにより行った。
【００２４】
結果を表１に示す。これより、本発明のパック化粧料が、好ましい皮膜を形成すること、又、これがアルゲパックのダマの形成の抑制に起因していること、及びそれがデキストリンの添加効果によることが明白である。
【００２５】
【表１】
2001302493.tif 000001
【００２６】
＜実施例３〜５＞
実施例１のデキストリンの含有量を変えて、適切なデキストリン等の糖類の量を検討した。パック化粧料の製造は実施例１と同様に行い、評価は実施例２と同様に行った。結果を表２に示す。これより、本発明のパック化粧料に於いては、デキストリンなどの糖類を、２０〜８０重量％、更に好ましくは３０〜５０重量％含有することが必要であることが分かる。
【００２７】
アルギン酸ナトリウム          １４    重量部
無水珪酸                      １１．７重量部
硫酸カルシウム                １５．６重量部
デキストリン＊
カオリン＊
硫酸化トレハロースナトリウム    ０．１重量部
１，３−ブタンジオール          ４    重量部
ホホバ油                        １．８重量部
＊詳細は表２に示す。
【００２８】
【表２】
2001302493.tif 000002
【００２９】
＜実施例６〜１５＞
実施例１のデキストリンを他の糖に変えて同様にパック化粧料を作成し、実施例２の方法に従って評価した。結果を表３に示す。これより、何れの糖類もデキストリンと同様の作用を有することが分かる。更に糖類としては、デキストリンが特に好ましいこともわかる。
【００３０】
アルギン酸ナトリウム          １４    重量部
無水珪酸                      １１．７重量部
硫酸カルシウム                １５．６重量部
糖類＊＊                      ４８．８重量部
ポリ燐酸ナトリウム              ０．１重量部
炭酸ナトリウム                  ０．１重量部
１，３−ブタンジオール          ４    重量部
ホホバ油                        １．７重量部
＊＊詳細は表３に記す。
【００３１】
【表３】
2001302493.tif 000003
【００３２】
【発明の効果】
本発明によれば、使用時にダマの発生が抑制された、被膜強度もコントロールされている、アルゲパックのパック化粧料を提供することができる。